(57)【要約】【課題】開封する際の指先の掛かり具合を十分に確保しながら、容易に開封することのできる包装容器を提供する。【解決手段】この包装容器１は、折り目ａ（ａ１，ａ２）を介して順に連設される正面板２、底面板３、背面板４、上面板５および正面蓋板６を備えている。正面蓋板６が正面板２に貼着されることにより、正面蓋板６の端縁６ａが正面板２と底面板３との折り目ａ近傍に配置されている。正面板２と底面板３との折り目ａは、正面板２と底面板３とが交差する辺上に部分的に離間するように設けられた折り目ａ１と、折り目ａ１の部分的に離間した部分（中間部Ｌ２）を挟むように正面板２と底面板３とが交差する辺に沿って延びるように設けられた平行な２本の折り目ａ２とを含む。【選択図】図２
2016060490.tif 000002
【特許請求の範囲】
【請求項１】
折り目を介して順に連設される正面板、底面板、背面板、上面板および正面蓋板を備え、前記正面蓋板が前記正面板に貼着されることにより前記正面蓋板の端縁が前記正面板と前記底面板との折り目近傍に配置される包装容器において、
前記正面板と前記底面板との折り目は、前記正面板と前記底面板とが交差する辺上に部分的に離間するように設けられた第１折り目と、前記第１折り目の部分的に離間した部分を挟むように前記正面板と前記底面板とが交差する辺に沿って延びるように設けられた平行な２本の第２折り目とを含むことを特徴とする包装容器。
【請求項２】
請求項１に記載の包装容器において、
前記第１折り目の前記第２折り目側の端部と、前記第２折り目の前記第１折り目側の端部との間には、前記正面板と前記底面板とが交差する辺に沿った方向に沿って隙間が形成されていることを特徴とする包装容器。
【請求項３】
請求項１または２に記載の包装容器において、
前記平行な２本の第２折り目の端部は、それぞれ、前記第２折り目の延びる方向に直交する方向に沿って設けられた切れ目により接続されていることを特徴とする包装容器。
【請求項４】
請求項１〜３のいずれか１項に記載の包装容器において、
前記正面蓋板の端縁近傍には、前記正面蓋板の所定の部分を切り取るための切取用ミシン目が設けられていることを特徴とする包装容器。
【請求項５】
請求項４に記載の包装容器において、
前記正面蓋板の切取用ミシン目は、前記正面蓋板が前記正面板に貼着された状態において、正面から見て、前記第２折り目を取り囲むように設けられていることを特徴とする包装容器。
【請求項６】
請求項４または５に記載の包装容器において、
前記正面蓋板の切取用ミシン目は、前記正面板と前記底面板とが交差する辺に沿って長辺を有するとともに、前記正面板と前記底面板とが交差する辺に直交する方向に沿って短辺を有する矩形状に形成されていることを特徴とする包装容器。
【発明の詳細な説明】
【技術分野】
【０００１】
本発明は、包装容器に関する。
【背景技術】
【０００２】
従来、包装容器に関し、特に、医薬品や菓子などの商品を包装する包装容器が知られている（たとえば、特許文献１参照）。
【０００３】
従来の包装容器１００ａは、図９に示す展開図のように、右側面板１０１の下端縁に、上面板１０２、左側面板１０３、底面板１０４および糊代１０５が順に折り目ａ，ｂ，ｃ，ｄを介して連設されている。また、左右の側面板１０１，１０３の左右端縁には、それぞれフラップ１０６が折り目ｅを介して連設されている。さらに、上面板１０２の左右端縁には、それぞれ正面蓋板１０７および背面蓋板１０８が折り目ｆ，ｇを介して連設されている。また、底面板１０４の左右端縁には、それぞれ正面板１０９および背面板１１０が折り目ｈ，ｉを介して連設されている。
【０００４】
そして、正面蓋板１０７には、図８において、その左右各端縁の上端近傍をそれぞれ始点とし、その下端縁１０７ａの中間部近傍を終点とする開封用の切れ目ｊが正面蓋板１０７の左右幅方向の二等分線に関して略左右対称に形成されている。また、図９に示すように、正面板１０９には、前述した切れ目ｊに沿って切り離された正面蓋板１０７の下端縁１０７ａを差し込むことのできる切り込みｋが形成されている。
【０００５】
このような包装容器１００ａを組み立てるには、図９に示す展開図にしたがってコートボールを打ち抜いた後、糊代１０５を底面板１０４に対して折り目ｄに沿って谷折りするとともに、糊代１０５の裏面に接着剤を塗布する。次いで、上面板１０２を右側面板１０１とともに左側面板１０３に対して折り目ｂに沿って谷折りし、右側面板１０１を糊代１０５に貼着する。
【０００６】
次いで、底面板１０４に対して左側面板１０３を折り目ｃに沿って、上面板１０２に対して右側面板１０１を折り目ａに沿ってそれぞれ山折りするように起こした後、右側面板１０１および左側面板１０３に対して背面側の各フラップ１０６をそれぞれ折り目ｅに沿って谷折りする。さらに、底面板１０４に対して背面板１１０を折り目ｉに沿って谷折りした後、背面板１１０の裏面に接着剤を塗布し、上面板１０２に対して背面蓋板１０８を折り目ｇに沿って谷折りし、背面蓋板１０８を背面板１１０に貼着する。
【０００７】
そして、正面側開口を通して商品などを収容した後、右側面板１０１および左側面板１０３に対して正面側のフラップ１０６をそれぞれ折り目ｅに沿って谷折りするとともに、底面板１０４に対して正面板１０９を折り目ｈに沿って谷折りする。次いで、正面蓋板１０７における切れ目ｊ，ｊによってそれぞれ区画された下隅部の裏面に接着剤を塗布した後、上面板１０２に対して正面蓋板１０７を折り目ｆに沿って谷折りし、正面蓋板１０７を正面板１０９に貼着する。これにより、商品を収容した包装容器１００ａを形成することができる。その後、包装容器１００ａは、販売店等に出荷される。
【０００８】
一方、消費者は、図８（ａ）、（ｂ）および図９に示すように、正面蓋板１０７における一対の切れ目ｊ，ｊ間の下端縁１０７ａを指先で摘んで引き上げることにより、切れ目ｊに沿って正面蓋板１０７を切り裂くことができる。この後、正面板１０９および左右のフラップ１０６を押し広げて菓子などを引き出せばよい。また、残った商品を保管するには、再び商品を収容した後、切れ目ｊ，ｊに沿って切り裂かれた正面蓋板１０７の下端縁１０７ａを正面板１０９の切り込みｋに差し込めばよい。
【０００９】
また、従来の他の包装容器１００ｂでは、図１１に示すように、底面板１０４と正面板１０９との折り目ｈは、折り目ｈ１，ｈ１と分岐折り目ｈ２とから形成されている。折り目ｈ１，ｈ１は、底面板１０４と正面板１０９とが交差する辺に沿って左右各端縁から中間部近傍までにわたって形成されている。分岐折り目ｈ２は、折り目ｈ１，ｈ１の各終端から二股状に分岐するとともに、底面板１０４と正面板１０９とが交差する辺の近傍を迂回するように形成されている。
【００１０】
この包装容器１００ｂでは、正面板１０９を底面板１０４との折り目ｈに沿って折り込むと、その略中間部は、分岐折り目ｈ２に沿って折り込まれる。すなわち、底面板１０４および正面板１０９の略中間部において、分岐折り目ｈ２によって区画された部分が底面板１０４および正面板１０９に対してそれぞれ傾斜する傾斜面として折り目ｈ１に連続し、かつ、底面板１０４と正面板１０９とが交差する辺の近傍にわたって形成される。
【００１１】
一方、消費者は、図１０（ａ）、（ｂ）および図１１に示すように、正面蓋板１０７の下端縁１０７ａに形成される傾斜面に指先を引っ掛けて指先で摘んで引き上げることにより、切れ目ｊに沿って正面蓋板１０７を切り裂くことができる。
【先行技術文献】
【特許文献】
【００１２】
【特許文献１】特開２００４−７５１２１号公報
【発明の概要】
【発明が解決しようとする課題】
【００１３】
しかしながら、従来の包装容器１００ａにおいては、図８（ｂ）に示すように、正面蓋板１０７の下端縁１０７ａが底面板１０４の表面の延長面上に位置するように設定されている。したがって、商品などを取り出すために切れ目ｊ，ｊに沿って切り裂こうとした場合、正面蓋板１０７の下端縁１０７ａに指先が掛からず、開封しにくいという欠点があった。
【００１４】
また、従来の他の包装容器１００ｂにおいては、図１０に示すように、分岐折り目ｈ２に沿って折り込まれた傾斜面は正面から見て円弧状（半円状）に形成されているため、傾斜面の中央部においては指先が掛かりやすい一方で、傾斜面の端部近傍（折り目ｈ１と折り目ｈ２との境界部近傍）においてはほとんど指先が掛からないという欠点がある。このため、開封する際の指先の掛かり具合を十分に確保することが困難であるという問題点がある。
【００１５】
本発明は、このような問題に鑑みてなされたものであって、開封する際の指先の掛かり具合を十分に確保しながら、容易に開封することのできる包装容器を提供することを目的としている。
【課題を解決するための手段】
【００１６】
上述の課題を解決するための手段として、本発明による包装容器は、以下のように構成されている。
【００１７】
すなわち、本発明による包装容器は、折り目を介して順に連設される正面板、底面板、背面板、上面板および正面蓋板を備え、前記正面蓋板が前記正面板に貼着されることにより前記正面蓋板の端縁が前記正面板と前記底面板との折り目近傍に配置される構成を前提としている。
【００１８】
また、本発明による包装容器は、前記正面板と前記底面板との折り目は、前記正面板と前記底面板とが交差する辺上に部分的に離間するように設けられた第１折り目と、前記第１折り目の部分的に離間した部分を挟むように前記正面板と前記底面板とが交差する辺に沿って延びるように設けられた平行な２本の第２折り目とを含むことを特徴とするものである。
【００１９】
かかる構成を備える包装容器によれば、包装容器を折り目に沿って組み立てる際に、正面板と底面板とが交差する辺のうち、第２折り目によって挟まれた部分が正面板および底面板に対して所定の角度で傾斜する傾斜面として形成される。これにより、傾斜面における正面板と底面板とが交差する辺に沿った方向の幅を、従来の円弧状（半円状）の傾斜面と比べて略均一にすることができる。その結果、正面蓋板と正面板との間（正面蓋板の裏面側）に、正面板と底面板とが交差する辺に沿った方向の幅が略均一な小空間が形成されるので、小空間のうち正面板と底面板とが交差する辺に沿った方向に対して中央部または端部のいずれにおいても、包装容器を開封する際の指先の掛かり具合を十分に確保することができる。これにより、包装容器を開封する際に、正面蓋板の裏面側に形成された小空間に指先を挿入して、正面蓋板の端縁を摘んで引き上げることにより、容易に開封することができる。
【００２０】
本発明の具体的な構成として、以下の複数のものが挙げられる。
【００２１】
本発明による包装容器において、好ましくは、前記第１折り目の前記第２折り目側の端部と、前記第２折り目の前記第１折り目側の端部との間には、前記正面板と前記底面板とが交差する辺に沿った方向に沿って隙間が形成されていることを特徴とする。このように構成すれば、第１折り目および第２折り目に沿って折り曲げた際に、第１折り目の端部と第２折り目との端部とが接続されて、傾斜面の両端部が自然に三角形状になるので、容易に正面板と底面板との間に傾斜面を形成することができる。
【００２２】
また、本発明による包装容器において、好ましくは、前記平行な２本の第２折り目の端部は、それぞれ、前記第２折り目の延びる方向に直交する方向に沿って設けられた切れ目により接続されていることを特徴とする。このように構成すれば、第１折り目および第２折り目に沿って折り曲げた際に、切れ目と切れ目との間に傾斜面が形成されるので、傾斜面における正面板と底面板とが交差する辺に沿った方向の幅を均一にすることができる。その結果、正面蓋板と正面板との間（正面蓋板の裏面側）に、正面板と底面板とが交差する辺に沿った方向の幅が均一な小空間が形成されるので、小空間のうち正面板と底面板とが交差する辺に沿った方向に対して中央部または端部のいずれにおいても、包装容器を開封する際の指先の掛かり具合を十分に確保することができる。
【００２３】
また、本発明による包装容器において、好ましくは、前記正面蓋板の端縁近傍には、前記正面蓋板の所定の部分を切り取るための切取用ミシン目が設けられていることを特徴とする。このように構成すれば、正面蓋板の端縁を指先で摘んで引き上げた後に、切取用ミシン目に沿って切り取ることにより、正面蓋板から所定の部分を切り取ることができる。これにより、切り取った部分を商品名などを表示するカード（ショーカード、ポップカードなど）に利用することや、商品についての価格を表示するカードとして利用することができる。
【００２４】
この場合、好ましくは、前記正面蓋板の切取用ミシン目は、前記正面蓋板が前記正面板に貼着された状態において、正面から見て、前記第２折り目を取り囲むように設けられていることを特徴とする。このように構成すれば、正面蓋板の端縁を指先で摘んで引き上げた後に、正面蓋板を摘み直すことなくそのまま切取用ミシン目に沿って正面蓋板の所定の部分を切り取ることができる。
【００２５】
また、上記切取用ミシン目を備える構成において、好ましくは、前記正面蓋板の切取用ミシン目は、前記正面板と前記底面板とが交差する辺に沿って長辺を有するとともに、前記正面板と前記底面板とが交差する辺に直交する方向に沿って短辺を有する矩形状に形成されていることを特徴とする。このように構成すれば、一般的に、商品名や価格を表示する際には文字や記号などを横方向に書く場合（横書き）が多いので、商品名や価格を表示しやすい横長のカードを容易に得ることができる。
【発明の効果】
【００２６】
上記のように、本発明による包装容器によれば、開封する際の指先の掛かり具合を十分に確保しながら、容易に開封することができる。
【図面の簡単な説明】
【００２７】
【図１】本発明の第１実施形態による包装容器の一部省略して示す斜視図およびその縦端面図である。
【図２】図１の包装容器の展開図である。
【図３】切取用ミシン目に沿って正面蓋板の一部を切り取る様子を示す図である。
【図４】本発明の第２実施形態による包装容器の一部省略して示す斜視図およびその縦端面図である。
【図５】図４の包装容器の展開図である。
【図６】本実施形態の第１変形例による包装容器を示す斜視図である。
【図７】本実施形態の第２変形例による包装容器を示す斜視図である。
【図８】従来の包装容器を一部省略して示す斜視図およびその縦端面図である。
【図９】図８の包装容器の展開図である。
【図１０】従来の他の包装容器を一部省略して示す斜視図および縦端面図である。
【図１１】図１０の包装容器の展開図である。
【発明を実施するための形態】
【００２８】
以下、本発明の実施の形態を図面に基づいて詳細に説明する。
【００２９】
（第１実施形態）
第１実施形態による包装容器１は、図１および図２に示すように、医薬品や菓子などの商品を収容して包装するものである。また、包装容器１は、図２に示す展開図にしたがって、コートボールを打ち抜いた後に、後述する各折り目に沿って折り込むとともに、所定部分を接着剤などを用いて貼着することにより組み立てられる。そして、包装容器１に医薬品や菓子などの商品を収容した後、販売店等に出荷される。
【００３０】
この包装容器１は、図２に示すように、正面板２の下端縁（正面板２と底面板３との境界の端縁）に、底面板３、背面板４、上面板５および正面蓋板６が順に折り目ａ，ｂ，ｃ，ｄを介して連設されている。これらの正面板２、底面板３、背面板４、上面板５および正面蓋板６は、各折り目ａ，ｂ，ｃ，ｄの延びる方向に沿って長辺を有するとともに、各折り目ａ，ｂ，ｃ，ｄの延びる方向に直交する方向に沿って短辺を有する矩形状に形成されている。また、背面板４および正面蓋板６の各左右端縁には、それぞれ、フラップ７が折り目ｅを介して連設されている。
【００３１】
さらに、底面板３の左右端縁には、それぞれ左側面板８および右側面板９が折り目ｆ，ｇを介して連設されている。また、上面板５の左右端縁には、それぞれ左側面蓋板１０および右側面蓋板１１が折り目ｈ，ｉを介して連設されている。これらの左側面板８、右側面板９、左側面蓋板１０および右側面蓋板１１は、各折り目ｆ，ｇ，ｈ，ｉの延びる方向に沿って長辺を有するとともに、各折り目ｆ，ｇ，ｈ，ｉの延びる方向に直交する方向に沿って短辺を有する矩形状に形成されている。
【００３２】
ここで、第１実施形態では、図２に示すように、正面板２と底面板３との折り目ａは、２本の直線状の折り目ａ１と、２本の直線状の折り目ａ２とを含んで形成されている。なお、折り目ａ１は、本発明の「第１折り目」の一例であり、折り目ａ２は、本発明の「第２折り目」の一例である。
【００３３】
各折り目ａ１は、それぞれ、正面板２と底面板３とが交差する辺上に中間部Ｌ２近傍を除いて部分的に離間するように設けられている。各折り目ａ１は、それぞれ、正面板２と底面板３とが交差する辺上に左右の各終端部Ｌ１から中間部Ｌ２近傍にわたって設けられている。言い換えると、折り目ａ１は、中間部Ｌ２近傍において途中で途切れたものとなっている。なお、正面板２と底面板３とが交差する辺とは、各終端部Ｌ１、Ｌ１を結んだ直線（辺）のことを意味している。
【００３４】
各折り目ａ２は、それぞれ、正面板２および底面板３に設けられている。各折り目ａ２は、それぞれ、折り目ａ１の部分的に離間した部分（中間部Ｌ２）を、正面板２と底面板３とが交差する辺に直交する方向から挟むように（対向するように）設けられている。各折り目ａ２は、それぞれ、正面板２と底面板３とが交差する辺に沿って延びるように設けられており、かつ、正面板２と底面板３とが交差する辺上には設けられていない。各折り目ａ２同士の間隔は、略一定である。
【００３５】
また、これらの折り目ａ１と折り目ａ２とは、互いに平行になるように設けられている。また、これらの折り目ａ１および折り目ａ２は、別個に設けられており、互いに接続（連結）されていない。
【００３６】
また、折り目ａ１の折り目ａ２側の端部ａ１１と、折り目ａ２の折り目ａ１側の端部ａ２１およびａ２２との間には、正面板２と底面板３とが交差する辺に沿った方向に沿って隙間Ｌ３が形成されている。
【００３７】
このような包装容器１を組み立てるには、図２に示す展開図にしたがってコートボールを打ち抜いた後、正面板２を底面板３に対して折り目ａに沿って谷折りするとともに、糊代としての正面板２の裏面に接着剤を塗布する。次いで、上面板５を正面蓋板６とともに背面板４に対して折り目ｃに沿って谷折りし、正面蓋板６を正面板２に貼着する。
【００３８】
次いで、底面板３に対して背面板４を折り目ｂに沿って、上面板５に対して正面蓋板６を折り目ｄに沿ってそれぞれ山折りするように起こした後、背面板４および正面蓋板６に対して右側面側の各フラップ７をそれぞれ折り目ｅに沿って谷折りする。さらに、底面板３に対して右側面板９を折り目ｇに沿って谷折りした後、右側面板９の裏面に接着剤を塗布し、上面板５に対して右側面蓋板１１を折り目ｉに沿って谷折りし、右側面蓋板１１を右側面板９に貼着する。
【００３９】
そして、左側開口を通して医薬品や菓子などの商品を収容した後、背面板４および正面蓋板６に対してフラップ７をそれぞれ折り目ｅに沿って谷折りする。次いで、底面板３に対して左側面板８を折り目ｆに沿って谷折りし、上面板５に対して左側面蓋板１０を折り目ｈに沿って谷折りし、左側面蓋板１０を左側面板８に貼着すれば、医薬品や菓子などの商品を収容した包装容器１を形成することができる。その後、包装容器１は、販売店などに出荷される。
【００４０】
ここで、第１実施形態では、正面板２を底面板３との折り目ａに沿って折り込むと、正面板２と底面板３とが交差する辺のうち終端部Ｌ１から中間部Ｌ２までの領域は、２本の折り目ａ１に沿って折り込まれる。さらに、正面板２と底面板３とが交差する辺のうち中間部Ｌ２は、２本の折り目ａ２に沿って折り込まれる。
【００４１】
さらに、折り目ａ１および折り目ａ２に沿って折り曲げた際に、折り目ａ１の端部ａ１１と折り目ａ２との端部ａ２１およびａ２２が接続されて、傾斜面ａ３の両端部（ａ１１、ａ２１、ａ２２により囲まれた領域）が自然な三角形状になる。これにより、正面板２と底面板３とが交差する辺の中間部Ｌ２において、２本の折り目ａ２によって挟まれた部分が正面板２および底面板３に対してそれぞれ傾斜する傾斜面ａ３（図１参照）として形成される。
【００４２】
傾斜面ａ３は、正面板２と底面板３とが交差する辺の近傍にわたって形成されている。この傾斜面ａ３は、傾斜面ａ３に直交する方向から見て、六角形状に形成されている。言い換えると、傾斜面ａ３のうち平行な２本の折り目ａ２に挟まれた領域の正面板２と底面板３とが交差する辺に沿った方向の幅は、正面板２と底面板３とが交差する辺に直交する方向に対して略等しい幅になっている。これにより、傾斜面ａ３が円弧状や半円状に形成されている場合と比べて、正面蓋板６の端縁６ａが摘み易くなっている。さらに、傾斜面ａ３のうち両端部（ａ１１、ａ２１、ａ２２により囲まれた領域）は三角形状に形成されており、平行な２本の折り目ａ２に挟まれた領域をより広げるように形成されている。また、正面蓋板６の端縁６ａは、図１（ａ）および（ｂ）に示すように、正面板２と底面板３との折り目ａ近傍に配置されているとともに、底面板３の表面の延長面上に位置している。
【００４３】
また、商品を購入した消費者が包装容器１を開封する場合は、正面蓋板６の端縁６ａを指先で摘んで引き上げればよい。この際、図１（ａ）および（ｂ）に示すように、正面板２および底面板３との交差する辺の中間部Ｌ２には、折り目ａ２によって傾斜面ａ３が形成されているとともに、正面蓋板６の裏面側には小空間ｓが形成されている。したがって、消費者は、正面蓋板６の裏面側に形成された小空間ｓに指先を挿入することができ、正面蓋板６の端縁６ａを摘んで引き上げることができる。
【００４４】
また、図１（ａ）に示すように、包装容器１が組み立てられた状態において、正面蓋板６の折り目ａ２と重なる部分には、折り目ａ２を取り囲むように切取用ミシン目６ｂが設けられている。この切取用ミシン目６ｂは、正面板２と底面板３とが交差する辺に沿って長辺を有するとともに、正面板２と底面板３とが交差する辺に直交する方向に沿って短辺を有する矩形状に形成されている。
【００４５】
また、正面蓋板６の端縁６ａを摘んで引き上げた後には、図３に示すように、切取用ミシン目６ｂに沿って切り取ることにより、正面蓋板６から矩形状のカード６ｃを得ることが可能である。この矩形状のカード６ｃは、その包装容器１に収納されている商品の商品名や価格などを記載することにより、商品名を表示するカードや商品の価格を表示するカードとして利用することが可能である。また、正面蓋板６のカード６ｃとなる部分に予め商品名や価格などが印刷されていてもよい。
【００４６】
以上説明したように、第１実施形態による包装容器１によれば、以下に列記するような効果が得られる。
【００４７】
第１実施形態では、上記のように、正面板２と底面板３とが交差する辺（終端部Ｌ１とＬ１とを結んだ直線）上に部分的に離間するように設けられた折り目ａ１と、折り目ａ１とは接続せずに折り目ａ１の部分的に離間した部分（中間部Ｌ２）を挟むように正面板２と底面板３とが交差する辺に沿って延びるように設けられた平行な２本の折り目ａ２とを設ける。これにより、包装容器１を各折り目に沿って組み立てる際に、正面板２と底面板３とが交差する辺のうち、各折り目ａ２によって挟まれた部分が正面板２および底面板３に対して所定の角度で傾斜する傾斜面ａ３として形成される。その結果、傾斜面ａ３における正面板２と底面板３とが交差する辺に沿った方向の幅を、従来の円弧状（半円状）の傾斜面と比べて略均一にすることができる。これにより、正面蓋板６と正面板２との間（正面蓋板６の裏面側）に、正面板２と底面板３とが交差する辺に沿った方向の幅が略均一な小空間ｓが形成されるので、小空間ｓのうち正面板２と底面板３とが交差する辺に沿った方向に対して中央部または端部のいずれにおいても、包装容器１を開封する際の指先の掛かり具合を十分に確保することができる。これにより、包装容器１を開封する際に、正面蓋板６の裏面側に形成された小空間ｓに指先を挿入して、正面蓋板６の端縁６ａを摘んで引き上げることにより、容易に開封することができる。
【００４８】
また、第１実施形態では、上記のように、折り目ａ１の折り目ａ２側の端部ａ１１と、折り目ａ２の折り目ａ１側の端部ａ２１およびａ２２との間に、正面板２と底面板３とが交差する辺に沿った方向に沿って隙間Ｌ３を形成する。これにより、折り目ａ１および折り目ａ２に沿って折り曲げた際に、折り目ａ１の端部ａ１１と折り目ａ２との端部ａ２１およびａ２２とが接続されて、傾斜面ａ３の両端部（ａ１１、ａ２１、ａ２２により囲まれた領域）が自然に三角形状になるので、容易に正面板２と底面板３との間に傾斜面ａ３を形成することができる。
【００４９】
また、第１実施形態では、上記のように、正面蓋板６の端縁６ａ近傍に、正面蓋板６の所定の部分を切り取るための切取用ミシン目６ｂを設ける。これにより、正面蓋板６の端縁６ａを指先で摘んで引き上げた後に、切取用ミシン目６ｂに沿って切り取ることにより、正面蓋板６から所定の部分を切り取ることができる。その結果、切り取った部分を商品名などを表示するカード６ｃ（ショーカード、ポップカードなど）に利用することや、商品についての価格を表示するカード６ｃとして利用することができる。
【００５０】
また、第１実施形態では、上記のように、正面蓋板６が正面板２に貼着された状態において、正面から見て、折り目ａ２を取り囲むように切取用ミシン目６ｂを設ける。これにより、正面蓋板６の端縁６ａを指先で摘んで引き上げた後に、正面蓋板６を摘み直すことなくそのまま切取用ミシン目６ｂに沿って正面蓋板６の所定の部分を切り取ることができる。
【００５１】
また、第１実施形態では、上記のように、正面蓋板６の切取用ミシン目６ｂを、正面板２と底面板３とが交差する辺に沿って長辺を有するとともに、正面板２と底面板３とが交差する辺に直交する方向に沿って短辺を有する矩形状に形成する。これにより、一般的に、商品名や価格を表示する際には文字や記号などを横方向に書く場合（横書き）が多いので、商品名や価格を表示しやすい横長のカード６ｃを容易に得ることができる。
【００５２】
（第２実施形態）
次に、図４および図５を参照して、第２実施形態について説明する。
【００５３】
この第２実施形態では、上記第１実施形態とは異なり、２本の折り目ａ２の端部ａ２１およびａ２２を接続するように切れ目ａ４を形成した包装容器１ａについて説明する。
【００５４】
第２実施形態による包装容器１ａは、図４および図５に示すように、平行な２本の折り目ａ２の端部ａ２１と端部ａ２２とは、それぞれ、折り目ａ２の延びる方向に直交する方向に沿って形成された切れ目ａ４により接続されている。言い換えると、折り目ａ２が延びる方向と、切れ目ａ４が延びる方向とは、互いに直交している。また、切れ目ａ４と、折り目ａ１の端部ａ１１とは、間隔を隔てて配置されている。
【００５５】
このような包装容器１ａを組み立てるには、図５に示す展開図にしたがって、上記第１実施形態と同様に組み立て、第２実施形態では、正面板２を底面板３との折り目ａに沿って折り込むと、正面板２と底面板３とが交差する辺のうち終端部Ｌ１から中間部Ｌ２までの領域は、２本の折り目ａ１に沿って折り込まれる。さらに、正面板２と底面板３とが交差する辺のうち中間部Ｌ２は、２本の折り目ａ２に沿って折り込まれる。
【００５６】
さらに、折り目ａ１および折り目ａ２に沿って折り曲げた際に、切れ目ａ４が傾斜面ａ３１（図４参照）の端辺となるので、容易に折り曲げることが可能となる。これにより、正面板２と底面板３とが交差する辺の中間部Ｌ２において、２本の折り目ａ２によって挟まれた部分が正面板２および底面板３に対してそれぞれ傾斜する傾斜面ａ３１として形成される。
【００５７】
傾斜面ａ３１は、正面板２と底面板３とが交差する辺の近傍にわたって形成されている。この傾斜面ａ３１は、傾斜面ａ３１に直交する方向から見て、四角形状（長方形状）に形成されている。言い換えると、傾斜面ａ３１の正面板２と底面板３とが交差する辺に沿った方向の幅は、略等しい幅になっている。これにより、傾斜面ａ３１が円弧状や半円状に形成されている場合と比べて、正面蓋板６の端縁６ａが摘み易くなっている。
【００５８】
なお、第２実施形態のその他の構成は、上記第１実施形態と同様である。
【００５９】
以上説明したように、第２実施形態による包装容器１ａによれば、以下に列記するような効果が得られる。
【００６０】
第２実施形態では、上記のように、平行な２本の折り目ａ２の端部ａ２１およびａ２２を、それぞれ、折り目ａ２の延びる方向に直交する方向に沿って設けられた切れ目ａ４により接続する。これにより、折り目ａ１および折り目ａ２に沿って折り曲げた際に、切れ目ａ４と切れ目ａ４との間に傾斜面ａ３が形成されるので、傾斜面ａ３における正面板２と底面板３とが交差する辺に沿った方向の幅を均一にすることができる。その結果、正面蓋板６と正面板２との間（正面蓋板６の裏面側）に、正面板２と底面板３とが交差する辺に沿った方向の幅が均一な小空間ｓが形成されるので、小空間ｓのうち正面板２と底面板３とが交差する辺に沿った方向に対して中央部または端部のいずれにおいても、包装容器１ａを開封する際の指先の掛かり具合を十分に確保することができる。
【００６１】
なお、第２実施形態のその他の効果は、上記第１実施形態と同様である。
【００６２】
−他の実施形態−
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６３】
たとえば、上記実施形態では、折り目ａ１の折り目ａ２側の端部ａ１１と、折り目ａ２の折り目ａ１側の端部ａ２１およびａ２２との間に、正面板２と底面板３とが交差する辺に沿った方向に沿って隙間Ｌ３を形成する例を示したが、本発明はこれに限られない。たとえば、折り目ａ１の折り目ａ２側の端部ａ１１と、折り目ａ２の折り目ａ１側の端部ａ２１およびａ２２とが、正面板２と底面板３とが交差する辺に沿った方向に沿って略一致するように配置してもよい。
【００６４】
また、上記実施形態では、正面蓋板６の端縁６ａを指先で摘んで引き上げた後に、切取用ミシン目６ｂに沿って切り取った部分を商品名などを表示するカード６ｃに利用する例を示したが、本発明はこれに限られない。たとえば、カード６ｃの他の利用例として、図６に示す第１変形例による包装容器１ｂのように、カード６ｃをめくり上げることが可能なように、カード６ｃの端辺のうち折り目ａ１およびａ２に直交する２辺にのみ切取用ミシン目６ｂを設けるようにしてもよい。そして、カード６ｃの表面に問題を記載しておき、カード６ｃをめくり上げるとカード６ｃの裏面やカード６ｃによって隠れていた部分（正面板２の表面）に問題に対する解答が記載されているような、クイズ用のカードとしても利用することが可能である。
【００６５】
また、上記実施形態では、正面板２と底面板３との交差する辺に１つの傾斜面ａ３を設ける例を示したが、本発明はこれに限られない。たとえば、正面板２と底面板３との交差する辺に２つ以上の傾斜面ａ３を設けてもよい。たとえば、図７に示す第２変形例による包装容器１ｃでは、正面板２と底面板３とが交差する辺に沿って折り目ａ１の離間する部分が３箇所設けられているとともに、これらの離間した部分を挟むように折り目ａ２が３箇所設けられている。これにより、正面板２と底面板３との間に傾斜面ａ３が３箇所形成されるとともに、正面蓋板６と正面板２との間（正面蓋板６の裏面側）に小空間ｓが３箇所形成される。また、正面蓋板６には３箇所の傾斜面ａ３に対応するように切取用ミシン目６ｂが形成されており、切取用ミシン目６ｂに沿って切り取ることにより、正面蓋板６から３つのカード６ｃを得ることが可能である。
【００６６】
また、上記実施形態では、正面板２と底面板３との交差する辺に１つの傾斜面ａ３を設ける例を示したが、本発明はこれに限られない。たとえば、正面板２と底面板３との交差する辺に加えて折り目ｆ、ｇ、ｈ、ｉなどの辺に傾斜面を設けてもよい。
【００６７】
また、上記実施形態では、切取用ミシン目を矩形状に形成する例を示したが、本発明はこれに限られない。たとえば、切取用ミシン目を矩形状以外の形状により形成してもよい。たとえば、切取用ミシン目を台形形状や半円形状などの形状に形成してもよい。
【００６８】
また、上記実施形態では、正面蓋板に切取用ミシン目を設ける例を示したが、本発明はこれに限られない。たとえば、正面蓋板に切取用ミシン目を設けない構成であってもよい。
【産業上の利用可能性】
【００６９】
本発明は、包装容器に利用することができ、より詳細には、医薬品や菓子などの商品を包装する包装容器に利用することができる。
【符号の説明】
【００７０】
１、１ａ、１ｂ、１ｃ  包装容器
２  正面板
３  底面板
４  背面板
５  上面板
６  正面蓋板
６ａ  端縁
６ｂ  切取用ミシン目
６ｃ  カード
７  フラップ
８  左側面板
９  右側面板
１０  左側面蓋板
１１  右側面蓋板
ａ，ｂ，ｃ，ｄ，ｅ，ｆ，ｇ，ｈ，ｉ  折り目
ａ１  折り目（第１折り目）
ａ１１  端部
ａ２  折り目（第２折り目）
ａ２１  端部
ａ２２  端部
ａ３  傾斜面
ａ３１  傾斜面
ａ４  切れ目
Ｌ１  終端部
Ｌ２  中間部
Ｌ３  隙間
ｓ  小空間
【図１】
2016060490.tif 000003
【図２】
2016060490.tif 000004
【図３】
2016060490.tif 000005
【図４】
2016060490.tif 000006
【図５】
2016060490.tif 000007
【図６】
2016060490.tif 000008
【図７】
2016060490.tif 000009
【図８】
2016060490.tif 000010
【図９】
2016060490.tif 000011
【図１０】
2016060490.tif 000012
【図１１】
2016060490.tif 000013